(57)【要約】      （修正有）【課題】カップリングボルトのナットと座金が狭隘な場所にあっても、容易に座金を起こすことができるナット廻り止め座金起こし器具を提供する。【解決手段】火力発電所ガスタービン設備におけるタービン軸と発電機軸との連結を行なうためカップリングボルトのナット廻り止め座金を起こす作業に用いるナット廻り止め座金起こし器具であって、スクリューネジ３の一端に保持部４が形成され、他端に軸球５が形成された入力軸２と、入力軸に挿入され保持部を回転させて入力軸上を移動する軸挿入部８が固着された圧縮アーム６と、入力軸の軸球を受ける軸球受け部１１が取り付けられた反力アーム９と、圧縮アームと反力アームの略中央部を支点として回動可能に連結するアーム連結バー１２とを備え、入力軸の回転作動により圧縮アームと反力アームの先端部でナットと座金を挟み込み、スクリューネジの締め付けにより座金を起こす。【選択図】図１
2009039806.tif 000002
【特許請求の範囲】
【請求項１】
火力発電所ガスタービン設備におけるタービン軸と発電機軸との連結を行なうためカップリングボルトのナット廻り止め座金を起こす作業に用いるナット廻り止め座金起こし器具であって、
スクリューネジの一端に保持部が形成され、他端に軸球が形成された入力軸と、前記入力軸に挿入され前記保持部を回転させて入力軸上を移動する軸挿入部が固着された圧縮アームと、前記入力軸の軸球を受ける軸球受け部が取り付けられた反力アームと、前記圧縮アームと前記反力アームの略中央部を支点として回動可能に連結するアーム連結バーとを備え、前記入力軸の回転作動により前記圧縮アームと前記反力アームの先端部でナットと座金を挟み込み、スクリューネジの締め付けにより座金を起こすことを特徴とするナット廻り止め座金起こし器具。
【請求項２】
前記圧縮アームと前記反力アームの先端部は、内側をバール形状にした爪で構成したことを特徴とする請求項１記載のナット廻り止め座金起こし器具。
【請求項３】
前記軸球受け部は、前記反力アームにスライド可能に取り付けられることを特徴とする請求項１記載のナット廻り止め座金起こし器具。
【請求項４】
前記座金は、１枚の座金で２個のナットの廻り止めができるように２個のボルト孔が穿設された略扇型で、４隅を予め折り曲げてあることを特徴とする請求項１記載のナット廻り止め座金起こし器具。
【請求項５】
前記入力軸のスクリューネジの締め付けにあたり、エアーラチェットを使用することを特徴とする請求項１記載のナット廻り止め座金起こし器具。
【発明の詳細な説明】
【技術分野】
【０００１】
本発明は、火力発電所ガスタービン設備の定期点検作業時にタービン軸と発電機軸との連結（カップリング）を好適に行なうためカップリングボルトのナット廻り止め座金起こし作業に用いるナット廻り止め座金起こし器具に関する。
【背景技術】
【０００２】
ガスタービン、蒸気タービン等の回転機械は、回転軸の軸受をケーシングの軸受支持部にて固定状態で支持する。また、従来の回転機械は、ケーシングが軸受支持部を兼用するものが多い。このような軸受支持部は、軸受を所定の最適な高さで支持するように調整（軸受アライメント）する必要がある。ガスタービンと発電機とを組み合わせる場合、ガスタービン軸と発電機軸との間にカップリングを入れて両軸を接続する方式が採られる（例えば特許文献１参照）。
【０００３】
近年、電力の自由化拡大に伴う競争力強化のため、定期点検を効率よく行ない稼働率を上げることが大きな課題となっている。定期点検作業の内、作業日数を要する作業のひとつにアライメント調整でのカップリング結合作業がある。カップリング結合作業は、カップリングリーマ穴位置合わせ、蒸気タービンロータの引き込み、カップリングボルト締付け、カップリン振れ計測、振れ計測が許容値を外れている場合は振れの修正を行ない、振れ計測が良ければナット弛み防止のための廻り止め座金を起こす。廻り止め座金は、扇型で４隅をタガネ等の工具で叩き起こしている。
【０００４】
【特許文献１】特開２００３−３４３２８５号公報
【発明の開示】
【発明が解決しようとする課題】
【０００５】
しかしながら、一部のガスタービンカップリングは、カップリングナットに覆い被さるようなツバがついており、ナットのタッチ面が奥になっているため、タガネ等の工具が入れづらく、座金起こしに作業者は多大な労力を費やし、困難な作業となっていた。
本発明は、ナットと座金が狭隘な場所にあっても、容易に座金を起こすことができるナット廻り止め座金起こし器具を提供することを目的とする。
【課題を解決するための手段】
【０００６】
上記目的を達成するため、請求項１記載のナット廻り止め座金起こし器具は、火力発電所ガスタービン設備におけるタービン軸と発電機軸との連結を行なうためカップリングボルトのナット廻り止め座金を起こす作業に用いるナット廻り止め座金起こし器具であって、スクリューネジの一端に保持部が形成され、他端に軸球が形成された入力軸と、入力軸に挿入され保持部を回転させて入力軸上を移動する軸挿入部が固着された圧縮アームと、入力軸の軸球を受ける軸球受け部が取り付けられた反力アームと、圧縮アームと反力アームの略中央部を支点として回動可能に連結するアーム連結バーとを備え、入力軸の回転作動により圧縮アームと反力アームの先端部でナットと座金を挟み込み、スクリューネジの締め付けにより座金を起こすことを特徴とするものである。
【０００７】
また、請求項２記載のナット廻り止め座金起こし器具は、請求項１記載のナット廻り止め座金起こし器具であって圧縮アームと反力アームの先端部は、内側をバール形状にした爪で構成したことを特徴とするものである。
【０００８】
また、請求項３記載のナット廻り止め座金起こし器具は、請求項１記載のナット廻り止め座金起こし器具であって軸球受け部は、反力アームにスライド可能に取り付けられることを特徴とするものである。
【０００９】
また、請求項４のナット廻り止め座金起こし器具は、請求項１記載のナット廻り止め座金起こし器具であって座金は、１枚の座金で２個のナットの廻り止めができるように２個のボルト孔が穿設された略扇型で、４隅を予め折り曲げてあることを特徴とするものである。
【００１０】
また、請求項５のナット廻り止め座金起こし器具は、請求項１記載のナット廻り止め座金起こし器具であって入力軸のスクリューネジの締め付けにあたり、エアーラチェットを使用することを特徴とするものである。
【発明の効果】
【００１１】
請求項１記載のナット廻り止め座金起こし器具によれば、スクリューネジの一端に保持部が形成され、他端に軸球が形成された入力軸と、入力軸に挿入され保持部を回転させて入力軸上を移動する軸挿入部が固着された圧縮アームと、入力軸の軸球を受ける軸球受け部が取り付けられた反力アームと、圧縮アームと反力アームの略中央部を支点として回動可能に連結するアーム連結バーとを備え、入力軸の回転作動により圧縮アームと反力アームの先端部でナットと座金を挟み込み、スクリューネジの締め付けにより座金を起こすようにしたので、ナットと座金が狭隘な場所にあっても、容易に座金を起こすことができるナット廻り止め座金起こし器具を提供することができる。
【００１２】
請求項２記載のナット廻り止め座金起こし器具によれば、圧縮アームと反力アームの先端部は、内側をバール形状にした爪で構成したので、ナットのタッチ面が奥になっていても、容易に座金を起こすことができるナット廻り止め座金起こし器具を提供することができる。
【００１３】
請求項３記載のナット廻り止め座金起こし器具によれば、軸球受け部は、反力アームにスライド可能に取り付けられるようにしたので、ナットの形状、大きさ及びナットのタッチ面の深さに柔軟に対応することができる。
【００１４】
請求項４記載のナット廻り止め座金起こし器具によれば、座金は、１枚の座金で２個のナットの廻り止めができるように２個のボルト孔が穿設された略扇型で、４隅を予め折り曲げた構成にしたので、座金の数が節約でき、かつ、座金起こしの作業も半分にすることができる。
【００１５】
請求項５記載のナット廻り止め座金起こし器具によれば、入力軸のスクリューネジの締め付けにあたり、エアーラチェットを使用することにしたので、スクリューネジの締め付け作業を短時間に行なうことができる。
【００１６】
これにより、本発明のナット廻り止め座金起こし器具によれば、ナットと座金が狭隘な場所にあっても、容易に座金を起こすことができる。
【発明を実施するための最良の形態】
【００１７】
本発明の実施の形態を、添付図面に例示した本発明の実施例に基づいて以下に具体的に説明する。
【実施例】
【００１８】
先ず、本発明の実施例について、図１〜図５を参照しながら説明する。図１は本発明のナット廻り止め座金起こし器具の一実施例を示す斜視図である。図２は本発明に用いる座金の正面図である。図３は本発明のナット廻り止め座金起こし器具を構成する入力軸とアームの関連動作を示す説明図である。図４は本発明のナット廻り止め座金起こし器具の使用状態を示す説明図である。図５は本発明のナット廻り止め座金起こし器具の動作状態を示す説明図である。
【００１９】
図１において、１は火力発電所ガスタービン設備におけるタービン軸と発電機軸との連結を行なうためカップリングボルトのナット廻り止め座金を起こす作業に用いるナット廻り止め座金起こし器具である。２はスクリューネジ３が切削された入力軸で、一端に保持部４が形成され、他端に軸球５が形成されている。
【００２０】
６は先端に爪７を有し、他端に軸挿入部８が固着された圧縮アーム、９は先端に爪１０を有し、他端に入力軸２の軸球５を受ける軸球受け部１１が取り付けられた反力アーム、１２は圧縮アーム６と反力アーム９の中央部分を両側から挟みこんでビス、ナットで螺着されたアーム連結バーである。
【００２１】
圧縮アーム６と反力アーム９はアーム連結バー１２が螺着された中央部分を支点として回動可能に連結されている。圧縮アーム６と反力アーム９の先端の爪７、爪１０は、内側７ａ、１０ａがバール形状にされている。軸球受け部１１は、反力アーム９にスライド可能に取り付けられる。
【００２２】
図２において、２１は本発明に用いる座金で、１枚の座金で２個のナットの廻り止めができるように２個のボルト孔２２、２３が穿設され、カップリングの外形に合わせた扇型の形状で、４隅２１ａ、２１ｂ、２１ｃ、２１ｄには予め折り目が付けられている。
【００２３】
以上のように構成された本発明のナット廻り止め座金起こし器具の作用について図３〜図５を参照しながら説明する。
【００２４】
火力発電所ガスタービン設備におけるタービン軸と発電機軸との連結を行なうためカップリングボルトのナット廻り止め座金を起こす作業にあたり、その作業に用いるナット廻り止め座金起こし器具１の組み立て方を説明する。
【００２５】
圧縮アーム６と反力アーム９は凡その中央部分を両側からアーム連結バー１２で挟みこまれてビス、ナットで螺着され、反力アーム９には軸球受け部１１が取り付けられる。入力軸２の軸球５を圧縮アーム６の他端に固着された軸挿入部８の一方から挿入し、保持部４を回転させて反力アーム９の軸球受け部１１で軸球５を受ける位置まで挿入する。
【００２６】
軸挿入部８の内部にも入力軸２のスクリューネジ３と同じようなスクリューネジが切削されているので、保持部４を回転させることにより軸挿入部８は入力軸２を移動する。例えば図３に示すように、保持部４を右回りに回転させると軸挿入部８は入力軸２を軸球５の方向に向かって移動し、それによって圧縮アーム６の先端部の爪７は矢印Ｙａの方向に移動する。逆に保持部４を左回りに回転させスクリューネジ３を締め付けると軸挿入部８は入力軸２を保持部４の方向に向かって移動し、それによって圧縮アーム６の先端部の爪７は矢印Ｙｂの方向に移動する。
【００２７】
圧縮アーム６の爪７が矢印Ｙａの方向に移動することによって、圧縮アーム６の爪７と反力アーム９の爪１０との間隔は相対的に広がり、また、圧縮アーム６の爪７が矢印Ｙｂの方向に移動することによって、圧縮アーム６の爪７と反力アーム９の爪１０との間隔は相対的に狭まる。
【００２８】
また、軸球受け部１１は、反力アーム９にスライド可能に取り付けられるようにしたので、ナットの形状、大きさ及びナットのタッチ面の深さに柔軟に対応することができる。
【００２９】
次に、このように組み立てられたナット廻り止め座金起こし器具１を用いて火力発電所ガスタービン設備におけるタービン軸と発電機軸との連結を行なうためカップリングボルトのナット廻り止め座金を起こす作業を説明する。
【００３０】
一部のガスタービン設備におけるガスタービンのカップリングには、カップリングナットに覆い被さるようなツバがついており、ナットとナットの間隔が狭く、しかもナットのタッチ面が奥になっているため、万力、タガネ等の工具を入れて座金を起こすことができない。
【００３１】
本発明においては、図４、図５に示すように、ナット廻り止め座金起こし器具１の軸球受け部１１を一方の手で握り、他方の手で握ったレンチ３０の口部を入力軸２の保持部４に嵌入する（図４）。そして、アーム先端の爪７、１０をカップリングナットとツバの間に挿入し、アーム先端の爪７、１０が広がるように保持部４を回転させ、爪７、１０の内側７ａ、１０ａでカップリングナットと座金２１を挟み込む。
【００３２】
次に、保持部４を逆に回転させてスクリューネジ３を締め付けると圧縮アーム６と反力アーム９との間隔は相対的に狭まり、アーム先端の爪７、１０によってナット４０の座金２１を起こすことができる（図５）。
【００３３】
この場合、座金２１を起こし易くするため、座金２１の４隅２１ａ、２１ｂ、２１ｃ、２１ｄに予め折り目を付けておくと好適である。
【００３４】
また、入力軸２のスクリューネジ３の締め付けにあたり、エアーラチェット（不図示）を使用すると締め付け作業を短時間で行なうことができ更に好適である。
【００３５】
以上説明したように、本発明のナット廻り止め座金起こし器具によれば、ナットと座金が狭隘な場所にあっても、容易に座金を起こすことができる。
【図面の簡単な説明】
【００３６】
【図１】本発明のナット廻り止め座金起こし器具の一実施例を示す斜視図である。
【図２】本発明に用いる座金の正面図である。
【図３】本発明のナット廻り止め座金起こし器具を構成する入力軸とアームの関連動作を示す説明図である。
【図４】本発明のナット廻り止め座金起こし器具の使用状態を示す説明図である。
【図５】本発明のナット廻り止め座金起こし器具の動作状態を示す説明図である。
【符号の説明】
【００３７】
１：ナット廻り止め座金起こし器具
２：入力軸
３：スクリューネジ
４：保持部
５：軸球
６：圧縮アーム
７：爪
８：軸挿入部
９：反力アーム
１０：爪
１１：軸球受け部
１２：アーム連結バー
２１：座金
３０：レンチ
４０：ナット
【図１】
2009039806.tif 000003
【図２】
2009039806.tif 000004
【図３】
2009039806.tif 000005
【図４】
2009039806.tif 000006
【図５】
2009039806.tif 000007